(57)【要約】【課題】エレベータの点検作業を開始する際に、その点検でエレベータが一時的に使用できなくなることをエレベータの利用者に的確に報知して速やかに点検作業に移行することが可能となるエレベータの点検作業報知装置を提供する。【解決手段】エレベータ乗り場で利用者がかご呼びの登録のために操作するかご呼びボタンと、かごに乗った利用者がかごの行先階を登録するために操作する行先階ボタンと、エレベータの保守点検の作業設定時において、エレベータの乗り場のかご呼びボタンが操作されたときにそのかご呼びの登録を禁止し、かつそのかご呼びボタンのエレベータ乗り場に点検作業中である旨の音声によるアナウンスを流し、エレベータの保守点検の作業設定時において、かごの行先階ボタンが操作されたときにその行先階の登録を禁止し、かつかご内に点検作業中である旨の音声によるアナウンスを流す制御を行なう制御手段とを具備する。【選択図】    図４Ａ
2010168191.tif 000002
【特許請求の範囲】
【請求項１】
各階のエレベータ乗り場に設けられ、利用者がエレベータのかご呼びの登録のために操作するかご呼びボタンと、
エレベータのかごに設けられ、かごに乗った利用者がかごの行先階を登録するために操作する行先階ボタンと、
エレベータの保守点検の作業設定時において、前記エレベータの乗り場のかご呼びボタンが操作されたときにそのかご呼びの登録を禁止し、かつそのかご呼びボタンのエレベータ乗り場に点検作業中である旨の音声によるアナウンスを流し、エレベータの保守点検の作業設定時において、前記かごの行先階ボタンが操作されたときにその行先階の登録を禁止し、かつかご内に点検作業中である旨の音声によるアナウンスを流す制御を行なう制御手段と、
を具備することを特徴とするエレベータの点検作業報知装置。
【請求項２】
前記エレベータ乗り場及び前記かごにはそれぞれ音声スピーカーが設けられ、エレベータの保守点検の作業設定時にエレベータ乗り場において前記かご呼びボタンが操作されたときにはそのエレベータ乗り場の音声スピーカーを通して点検作業中である旨のアナウンスを流し、エレベータの保守点検の作業設定時にかご内において前記行先階ボタンが操作されたときにはそのかごの音声スピーカーを通して点検作業中である旨のアナウンスを流すことを特徴とする請求項１に記載のエレベータの点検作業報知装置。
【請求項３】
前記作業設定時の前に既にかご呼びの登録や行先階の登録がなされているときには、その登録されているかご呼びや行先階の登録に応じる階床にかごを移動し、この後、そのかごを前記制御手段を構成する制御盤が設置されている階床に移動することを特徴とする請求項１又は２に記載のエレベータの点検作業報知装置。
【発明の詳細な説明】
【技術分野】
【０００１】
この発明は、エレベータの点検作業を実施する際に、その点検作業の開始をエレベータの利用者に報知する点検作業報知装置に関する。
【背景技術】
【０００２】
エレベータの定期点検の際には、各階のエレベータ乗り場の三方枠に点検札を取り付けて新たなかご呼びの登録を禁止し、かご内の利用者が目的階で降り、かごが空となった後に、エレベータの通常運行を停止して、点検作業を開始するようにしている（特開２００２−２６５１５８公報、図１３、図１４参照）。
【特許文献１】特開２００２−２６５１５８公報（図１３、図１４）
【発明の開示】
【発明が解決しようとする課題】
【０００３】
ところで、定期点検の開始に先立って、各階のエレベータ乗り場の三方枠に点検札を取り付けて保守点検の作業設定を行なっても、エレベータの利用者がその点検札を見落とし、あるいは無視して、エレベータ乗り場におけるかご呼びボタンを操作してしまうことがある。この場合、エレベータはまだ通常運行中であるから、かご呼びが登録されてかごが移動し、なかなか点検作業を開始することができなくなる。
【０００４】
また、目の不自由な利用者にあっては、点検札が掛けられていてもそれを認識できず、したがってかご呼びボタンを操作してしまうことになり、同様に点検作業をなかなか開始することができなくなる。
【０００５】
この発明はこのような点に着目してなされたもので、その目的とするところは、エレベータの点検作業を開始する際に、その点検でエレベータが一時的に使用できなくなることをエレベータの利用者に的確に報知して速やかに点検作業に移行することが可能となるエレベータの点検作業報知装置を提供することにある。
【課題を解決するための手段】
【０００６】
このような目的を達成するために、請求項１の発明は、各階のエレベータ乗り場に設けられ、利用者がエレベータのかご呼びの登録のために操作するかご呼びボタンと、エレベータのかごに設けられ、かごに乗った利用者がかごの行先階を登録するために操作する行先階ボタンと、エレベータの保守点検の作業設定時において、前記エレベータの乗り場のかご呼びボタンが操作されたときにそのかご呼びの登録を禁止し、かつそのかご呼びボタンのエレベータ乗り場に点検作業中である旨の音声によるアナウンスを流し、エレベータの保守点検の作業設定時において、前記かごの行先階ボタンが操作されたときにその行先階の登録を禁止し、かつかご内に点検作業中である旨の音声によるアナウンスを流す制御を行なう制御手段とを具備することを特徴としている。
請求項２の発明は、前記エレベータ乗り場及び前記かごにはそれぞれ音声スピーカーが設けられ、エレベータの保守点検の作業設定時にエレベータ乗り場において前記かご呼びボタンが操作されたときにはそのエレベータ乗り場の音声スピーカーを通して点検作業中である旨のアナウンスを流し、エレベータの保守点検の作業設定時にかご内において前記行先階ボタンが操作されたときにはそのかごの音声スピーカーを通して点検作業中である旨のアナウンスを流すことを特徴としている。
請求項３の発明は、前記作業設定時の前に既にかご呼びの登録や行先階の登録がなされているときには、その登録されているかご呼びや行先階の登録に応じる階床にかごを移動し、この後、そのかごを前記制御手段を構成する制御盤が設置されている階床に移動することを特徴としている。
【発明の効果】
【０００７】
この発明によれば、エレベータの点検作業を開始する際に、その点検でエレベータが一時的に使用できなくなることをエレベータの利用者に的確に報知して速やかに点検作業に移行することが可能となる。
【発明を実施するための最良の形態】
【０００８】
以下、この発明の一実施形態について図面を参照して説明する。
【０００９】
図１には各階のエレベータ乗り場１を示してあり、このエレベータ乗り場１における壁面には三方枠２を備える乗り場口３が設けられ、この乗り場口３には開閉用の乗り場ドア装置４が設けられている。乗り場ドア装置４は、例えば一対のドアパネル４ａ,４ｂが左右に移動して乗り場口３を開閉する両開き式構造となっている。
【００１０】
エレベータ乗り場１の壁面には、三方枠２の側方に位置して乗り場操作盤７と、報知手段としての音声スピーカー８が設けられている。乗り場操作盤７には、かご呼びの登録を行なうためのかご呼びボタン７ａ,７ｂが設けられている。
【００１１】
図２には、かご１０の内部の外観を示してあり、かご１０は前面に出入口１１を有し、この出入口１１に開閉用のかごドア装置１２が設けられている。かごドア装置１２は、一対のドアパネル１２ａ,１２ｂが左右に移動して出入口１１を開閉する両開き式構造となっている。
【００１２】
出入口１１の一側方のかごパネル１３には、かご操作盤１５及び報知手段としての音声スピーカー１６が設けられている。かご操作盤１５には、かご１０内の利用者が行先階を登録するために操作する複数の行先階ボタン１７が設けられている。
また、かご操作盤１５の下部には点検ボックス１８が設けられ、この点検ボックス１８内にかご内操作スイッチ１９が設けられている。点検ボックス１８はカバー１８ａで閉じられ、そのカバー１８ａを開くことでかご内操作スイッチ１９を操作することができるようになっている。一方、かご１０の天井部にはかご１０内を照明する照明装置１４が設けられている。
【００１３】
図３には制御回路の構成を示してあり、この制御回路はエレベータの運行を制御する制御盤２０を備えている。制御盤２０はかご１０が昇降する昇降路内の例えば最上階の階床に設置されている。
【００１４】
制御盤２０には、かご１０を駆動する巻上機２２、乗り場操作盤７のかご呼びボタン７ａ,７ｂ、エレベータ乗り場１の音声スピーカー８、かご操作盤１５の行先階ボタン１７、かご１０内の音声スピーカー１６、及びかご内操作スイッチ１９などが接続されている。
【００１５】
制御盤２０は、通常運転時には、エレベータ乗り場１における利用者がかご呼びボタン７ａ,７ｂを操作したときの信号を登録してかご１０をその登録されたエレベータ乗り場１に移動させ、またかご１０に乗った利用者がかご操作盤１５の所定の行先階ボタン１７を操作したときの信号を登録してかご１０をその登録された行先階に移動させように制御する。そしてこの制御盤２０には、手動による操作でその回路を切換えることが可能な切換えスイッチ２１が設けられている。制御盤２０の切換えスイッチ２１は、保守作業員がその制御盤２０が設置されている最上階の階床において操作する。
次に、このエレベータの動作について、図４Ａ、図４Ｂに示すフローチャートを参照して説明する。
【００１６】
通常運転Ｓ１のときには、エレベータ乗り場１においてかご呼びボタン７ａ,７ｂが操作されると、その信号により制御盤２０にかご呼びが登録され、その登録に基づいてかご１０が登録された所定の階床のエレベータ乗り場１に移動するように制御される。そして、乗り場ドア装置４及びかごドア装置１２が開き、利用者がかご１０内に乗り込み、かご操作盤１５の所定の行先階ボタン１７を操作すると、その行先階が制御盤２０に登録される。
【００１７】
この後、乗り場ドア装置４及びかごドア装置１２が閉じ、かご１０が登録された所定の行先階に向って移動するように制御される。かご１０が所定の行先階に移動して停止した後に、その階床の乗り場ドア装置４及びかごドア装置１２が開き、エレベータの利用者がかご１０から降りる。また、その行先階に別の利用者がいる場合には、その利用者がかご１０に乗り、行先階ボタン１７を操作して行先階を登録することで、かご１０がその行先階に向って移動する。通常運転時にはこのような動作が繰り返される。
【００１８】
この状態から、エレベータの保守点検を実施する際には、それに先立ち、まず保守点検の準備段階である作業設定として、保守作業員が最上階の階床において制御盤２０の切換えスイッチ２１を操作する（Ｓ２）。切換えスイッチ２１を操作したときには、その時点でのかご呼びの登録や行先階の登録があるかが判断され（Ｓ３）、かご呼びの登録があるときには、それ以後のかご呼びの登録が禁止される（Ｓ４）。そして、登録済みのかご呼びや行先階の登録に応答すべくかご１０がその登録された階床に向って移動するように制御される（Ｓ５）。
また、エレベータ乗り場１でのかご呼びの操作、つまりエレベータ乗り場１の利用者がかご呼びボタン７ａ,７ｂを操作したかが判断される（Ｓ６）。Ｓ３でかご呼びや行先階の登録がないと判断されときには、それ以後のかご呼びの登録が禁止され（Ｓ７）、Ｓ６に進む。
Ｓ６において、エレベータ乗り場１でのかご呼びの操作があるときには、そのかご呼びには応答せずに、エレベータ乗り場１の音声スピーカー８を駆動してエレベータ乗り場１に、例えば『ただいま点検作業中です。ご迷惑をおかけしますが、他のエレベータまたは階段をご利用ください。』というアナウンスが流され、エレベータ乗り場１の利用者に『点検作業中』であることが報知される（Ｓ８）。
【００１９】
したがって、エレベータ乗り場１の利用者は、そのエレベータが利用できないことを即座にかつ的確に知ることができ、また視覚障害者であってもその情報を聴覚を通して知ることができる。
【００２０】
一方、かご１０においては、Ｓ９として、かご操作盤１５での操作による行先階の登録があるか否かが判断される。行先階の登録があるときには、それ以後の行先階の登録が禁止される（Ｓ１０）。そして、登録済みの行先階に応答すべくかご１０がその登録された階床に向って移動するように制御される（Ｓ１１）。
【００２１】
Ｓ１１の制御でかご１０が登録済みの階床に移動して停止したときには、乗り場ドア装置４及びかごドア装置１２が開き、かご１０内の利用者がかご１０から降り、かご１０内が空となる。
次に、乗り場ドア装置４及びかごドア装置１２が閉じ、かご１０が制御盤２０が設置されている最上階の階床に向かって移動し、その最上階の階床で停止する（Ｓ１２）。そして乗り場ドア装置４及びかごドア装置１２が開き、またかご１０の照明装置１４が自動的に消灯する（Ｓ１３）。Ｓ９で行先階の登録がないと判断されときには、それ以後の行先階の登録が禁止され（Ｓ１４）、Ｓ１２に進む。
かご１０が停止し、乗り場ドア装置４及びかごドア装置１２が開き、照明装置１４が消灯するＳ１３の状態に移行したときには、そのかご１０内の行先階ボタン１７が操作されたかが判断される（Ｓ１５）。そして、操作があるときには、かご１０の音声スピーカー１６が駆動され、例えば『ただいま点検作業中です。ご迷惑をおかけしますが、他のエレベータまたは階段をご利用ください。』というアナウンスがかご１０内に流され、かご１０に乗った利用者に『点検作業中』であることが報知される（Ｓ１６）。
【００２２】
すなわち、Ｓ１３でかご１０が停止しているときに、利用者がかご１０に乗り、行先階ボタン１７を操作すると、エレベータが点検作業のため停止中で利用できない旨の情報が音声スピーカー１６を通して音声により報知される。したがって、かご１０に乗った利用者は、そのエレベータが利用できないことを即座にかつ的確に知ることができ、また視覚障害者であってもその情報を聴覚を通して知ることができる。そして利用者がかご１０から降りることになる。
Ｓ１３でかご１０が空になった後に、エレベータに対する保守点検の作業を開始することが可能となる。保守点検を開始するときには、作業員がかご１０内に乗り、かご操作盤１５の点検ボックス１８を開き、かご内操作スイッチ１９を操作する（Ｓ１７）。この操作により、かご１０の照明装置１４が点灯し、また行先階ボタン１７の機能が有効となり、その行先階ボタン１７を操作して保守点検のために必要な階床にかご１０を移動させて点検作業を実施することが可能となる（Ｓ１８）。
Ｓ１７のかご内操作スイッチ１９の操作が行なわれるまでの間に、停止中のかご１０内に利用者が乗り込んだときには、Ｓ１５〜Ｓ１６のステップが繰り返され、かご１０に乗った利用者に対して『点検作業中』であることが報知される。
このように、この実施形態によれば、保守点検に先立って制御盤２０の切換えスイッチ２１を切換えることで、エレベータ乗り場１においては、利用者がかご呼びボタン７ａ，７ｂを操作するたびに、音声スピーカー８を通して保守点検中である旨の音声による報知が行なわれ、停止中のかご１０においては、そのかご１０に利用者が乗って行先階ボタン１７を操作するたびに、音声スピーカー１６を通して保守点検中である旨の音声による報知が行なわれる。したがって、保守点検のためにエレベータが一時的に使用できなくなることをエレベータの利用者に的確に報知して速やかに点検作業に移行することが可能となる。
なお、Ｓ１２で、かご１０を制御盤２０の設置階床である最上階に移動させた際に、その最上階のエレベータ乗り場１の床面とかご１０の床面とがほぼ同一のレベルとなる位置にかご１０を停止させる場合のほか、エレベータ乗り場１の床面とかご１０の床面とが上下にずれる位置にかご１０を停止させる場合であってもよい。
【図面の簡単な説明】
【００２３】
【図１】この発明の一実施形態に係るエレベータ乗り場の外観を示す斜視図。
【図２】この発明の一実施形態に係るかごの内部の一部の外観を示す斜視図。
【図３】この発明の一実施形態に係る制御回路の構成を示すブロック図。
【図４Ａ】この発明の一実施形態の動作の前半工程を示すフローチャート。
【図４Ｂ】この発明の一実施形態の動作の後半工程を示すフローチャート。
【符号の説明】
【００２４】
１…エレベータ乗り場、２…三方枠、３…乗り場口、４…乗り場ドア装置、４ａ…ドアパネル、７…乗り場操作盤、７ａ…かご呼びボタン、８…音声スピーカー、１０…かご、１１…出入口、１２…かごドア装置、１２ａ…ドアパネル、１４…照明装置、１５…かご操作盤、１６…音声スピーカー、１７…行先階ボタン、１８…点検ボックス、１８ａ…カバー、１９…かご内操作スイッチ、２０…制御盤、２１…切換えスイッチ、２２…巻上機。
【図１】
2010168191.tif 000003
【図２】
2010168191.tif 000004
【図３】
2010168191.tif 000005
【図４Ａ】
2010168191.tif 000006
【図４Ｂ】
2010168191.tif 000007